(57)【要約】【課題】後ろ向きに開口した肘受けフレームに肘当てとエンドカバーとを取り付けて成る椅子において、エンドカバーの取り付けの作業性を向上させる。【手段】肘受けフレーム１１は金属丸パイプ製であり、肘当て１２はその後部においてビス３８で肘受けフレーム１１に固定されている。エンドカバー２６は背面部２６ａと上面部２６ｂとを有しており、背面部２６ａには肘受けフレーム１１に嵌まる突起３９が形成されており、上面部１１ｂは肘当て１２に当接している。エンドカバー２６の上面部２６ｂには段落ちしたストッパー４０が形成されており、ストッパー４０と肘当て１２とが前後ずれ不能に嵌まり合っている。エンドカバー２６はねじ止めしなくても肘当て１２で抜け不能に保持されている。【選択図】図９
2009268495.tif 000002
【特許請求の範囲】
【請求項１】
座の外側に、前後長手の丸パイプ製肘受けフレームが、その後端を後ろ向きに開口した状態に配置されており、前記肘受けフレームに、当該肘受けフレームを上方から覆う前後長手の肘当てが、肘受けフレームの後端面よりも手前にずれた状態で取り付けられており、このため、肘受けフレームの後端部は肘当てで覆われていない露出部になっている、という構成において、
前記肘当ては肘受けフレームにビスで固定されており、更に、肘受けフレームの後端部には、当該肘受けフレームの後端の露出部を覆うエンドカバーが肘当てに当接する状態に後ろから嵌め込み装着されており、かつ、前記エンドカバーには肘当の後端部が上方から重なる段落ち状の前向きストッパーを一体に設けており、前記エンドカバーの前向きストッパーと肘当ての後端部とに、前記エンドカバーを後ろ向き移動不能に保持する嵌合部が形成されている、
椅子。
【請求項２】
前記肘受けフレームと肘当てとは、その前部が低くて後ろに行くに従って高さが高くなるように側面視で湾曲しており、前記肘当ての前部と肘受けフレームとには、互いに嵌まり合うことで肘受けフレームの前部を前後左右にずれ不能に保持する前係合部が形成されており、肘当てはその後部が１本のビスで肘受けフレームに固定されている、
請求項１に記載した椅子。
【請求項３】
前記前係合部は、肘受けフレームの傾斜部に溶接によって固着された位置決め片と、前記位置決め片に嵌合するように肘当てに形成された位置決め穴とで構成されている、
請求項２に記載した椅子。
【請求項４】
前記肘受けフレームの後端の露出部には、背もたれを取り付けるための背支柱が溶接によって固着されていると共に、背もたれを取り付けるためのブラケットが固着されており、前記エンドカバーによってブラケットの全体又は大部分が覆われている、
請求項１〜３のうちのいずれかに記載した椅子。
【発明の詳細な説明】
【技術分野】
【０００１】
本願発明は、肘受けフレームに肘当てを取り付けている椅子に関するものである。
【背景技術】
【０００２】
背もたれ付き椅子の一つのタイプとして、パイプ類で骨組み（脚部）を構成した比較的簡易な構造のもの（いわゆるパイプ椅子）があり、会議用や商談用のように人が比較的短い時間だけ腰掛ける場合に多用されている。
【０００３】
そして、このタイプの椅子において、座の左右両外側に前後に延びる肘受けフレームを配置して、この肘受けフレームに前後に長い肘受けフレームを取り付けることが行われている。その例として特許文献１には、前足を座の上方に延出してその上端に水平状の肘受けフレームを一体に設け、肘受けフレームの後端部にジョンイントを固着してこのジョイントに背もたれを固定して成る椅子において、肘当てを肘受けフレームに１本のビスで固定すると共に、肘当ての後端部とジョイントとを嵌め合わせることが開示されている。
【特許文献１】実公平７−３７５５２号公報
【発明の開示】
【発明が解決しようとする課題】
【０００４】
特許文献１では、肘当ては、その後部はジョイントと嵌合していることで上下動不能に保持されているため、１本のビスで安定した姿勢に保持される。この点は特許文献１の利点である。
【０００５】
さて、特許文献１では肘受けフレームの後端は後ろ向きに開口しており、この後端部に背もたれを取り付けるためのジョイントが装着されているが、肘受けフレームの後端には、肘受けフレームの後端を覆うことを主目的としてエンドカバーを装着することも有り得る。このようにエンドカバーを装着するにおいて特許文献１の思想を転用して、エンドカバーと肘当てとを嵌め合わせることが考えらるが、単にエンドカバーと肘当てとを嵌め合わせたに過ぎない構成では、エンドカバーを肘受けフレームにビス止め等によって固定しなければならず、このため取り付け作業に手間が掛かることになる。
【０００６】
本願発明は、このような現状を改善すべく成されたものである。
【課題を解決するための手段】
【０００７】
本願発明の椅子は、座の外側に、前後長手の丸パイプ製肘受けフレームが、その後端を後ろ向きに開口した状態に配置されており、前記肘受けフレームに、当該肘受けフレームを上方から覆う前後長手の肘当てが、肘受けフレームの後端面よりも手前にずれた状態で取り付けられており、このため、肘受けフレームの後端部は肘当てで覆われていない露出部になっている、という基本構成になっている。
【０００８】
そして、請求項１の発明では、前記肘当ては肘受けフレームにビスで固定されており、更に、肘受けフレームの後端部には、当該肘受けフレームの後端の露出部を覆うエンドカバーが肘当てに当接する状態に後ろから嵌め込み装着されており、かつ、前記エンドカバーには肘当の後端部が上方から重なる段落ち状の前向きストッパーを一体に設けており、前記エンドカバーの前向きストッパーと肘当ての後端部とに、前記エンドカバーを後ろ向き移動不能に保持する嵌合部が形成されている。
【０００９】
請求項２の発明に係る椅子は、請求項１において、前記肘受けフレームと肘当てとは、その前部が低くて後ろに行くに従って高さが高くなるように側面視で湾曲しており、前記肘当ての前部と肘受けフレームとには、互いに嵌まり合うことで肘受けフレームの前部を前後左右にずれ不能に保持する前係合部が形成されており、肘当てはその後部が１本のビスで肘受けフレームに固定されている。
【００１０】
請求項３の発明に係る椅子は、請求項２において、前記前係合部は、肘受けフレームの傾斜部に溶接によって固着された位置決め片と、前記位置決め片に嵌合するように肘当てに形成された位置決め穴とで構成されている。
【００１１】
請求項４の発明に係る椅子は、請求項１〜３のうちのいずれかにおいて、前記肘受けフレームの後端の露出部には、背もたれを取り付けるための背支柱が溶接によって固着されていると共に、背もたれを取り付けるためのブラケットが固着されており、前記エンドカバーによってブラケットの全体又は大部分が覆われている。
【発明の効果】
【００１２】
本願発明では、肘当ては肘受けフレームに対して前後ずれ不能に固定されており、かつ、エンドカバーは肘当てによって前後ずれ不能に保持されている。従って、エンドカバーはビス止めのような固定手段は不要であり、その分、取り付け作業の手間を軽減することができる。
【００１３】
請求項２の構成を採用すると、肘当てはその前部において肘受けフレームに対して位置決めされているため、１本のビスで締結しただけでありながら高い安定性を確保することができる。この場合、肘当の前部を位置決めするエンドカバー係合手段としては、例えば、肘受けフレームに位置決め穴を空ける一方、肘当てには位置決めボス部を形成して、位置ボス部を位置穴に嵌め込むといったことも可能であるが、請求項３の構成を採用すると、肘受けフレームには穴を空ける必要がないため強度低下を防止できる利点がある。
【００１４】
更に請求項４の構成を採用すると、エンドカバーは肘受けフレームの後端部を覆う機能と背もたれ取り付け用ブラケットを覆う機能とを併有するため、それだけ部材点数を抑制して構造を簡素化することができる。
【発明を実施するための最良の形態】
【００１５】
次に、本願発明の実施形態を図面に基づいて説明する。本願発明は会議や打ち合わせのような短時間での使用に多用される４本足方式の椅子（パイプ椅子）に適用している。先ず、図１〜４に基づいて全体の概要を説明し、次いで、要部を詳述する。
【００１６】
(1).概要
図１は椅子の全体斜視図、図２は分離斜視図、図３のうち（Ａ）は図２の IIIA-IIIA視断面図、（Ｂ）は図１（Ａ）の IIIB-IIIB視断面図、図４は図１のIV−IV視断面図である。これらの図から理解できるように、椅子は、左右２本の前足１と左右２の後足２、座３、背もたれ４を備えている。
【００１７】
左右の後足２はその上部において左右横長のリアフレーム５で連結されており、リアフレーム５と左右の前足１の上部とは、前後長手部を有する平面視略Ｌ形のインナーフレーム６で連結されており、更に、左右のインナーフレーム６の前後長手部は、その前部と後部との２カ所において平板状のフロントステー７とリアステー８とで連結されている。左右インナーフレーム６には、リアステー８よりも手前側の部位に板材製の内向き片９を設けている。座３はフロントステー７と内向き片９とにビスで固定されている。
【００１８】
後足２の上端には、座３よりも上方に突出した背支柱１０が鉛直線に対してやや前傾した姿勢で連続しており、背支柱１０の上端は左右外側に広がった張り出し部１０ａになっている。左右の前足１の上端には、座３の上方において緩く湾曲しつつ後方に延びる肘受けフレーム１１が一体に連続しており、肘受けフレーム１１の後端に背支柱１０の張り出し部１０ａが内側から突き当てられ、両者は溶接されている。肘受けフレーム１１に、前後に長い肘当て１２を取り付けている。
【００１９】
また、肘受けフレーム１１が一体に形成された前足１、背支柱１０が一体に形成された後足２、補強フレーム５、前後ステー７，８によって本体の骨組みが構成されている。各足１，２の下端にはキャスタを取り付けている。前後足１，２、リアフレーム５、インナーフレーム６はそれそれ同径の金属製丸パイプで製造されている。
【００２０】
背もたれ４は、前後に開口した樹脂製の背フレーム１３とこれに取り付けた背シート１４とから成っている。背フレーム１３は、上下長手の左右サイドメンバー１５と、サイドメンバー１５の上端に一体に連続したアッパーメンバー２０と、サイドメンバー１５とは別部材のロアメンバー２１とから成っている。背シート１４は強靱な糸を素材として編むか又は織ることでネット状に構成されており、その全周に背フレーム１４が嵌まる筒部１４ａを形成しており、更に、下端の筒部１４ａには背フレーム１４を嵌め込む取り付け穴１８が空いている。
【００２１】
肘受けフレーム１１の後端には、サイドメンバー１５に裏側から重なるブラケット１９が溶接によって固着されており、図４に示すように、ブラケット１９とサイドメンバー１５とがビス２０及びナット２１で締結されている。更に述べると、サイドメンバー１５には、ブラケット１９が後ろから入り込む凹部２２と、凹部２２に連通した前後開口のビス穴２３と、ビス穴２３に連通した前向き開口のナット保持穴２４とが形成されており、ナット保持穴２４に回転不能に嵌め込んだ六角ナット２１にビス２０が後ろからねじ込まれている。ブラケット１９は樹脂製のエンドカバー２６で覆われている。
【００２２】
背フレーム１３のサイドメンバー１５には背支柱１０に嵌まる縦溝２６が形成されている。このため、背シート１４は左右方向にテンションが掛けられている。背フレーム１３のロアメンバー１７には前向き片２７が形成されており、前向き片２７がビス２８でリアステー８に固定されている。
【００２３】
なお、ロアメンバー１７はリアフレーム５に嵌まるようになっており、このため、ロアメンバー１７にはインナーフレーム６との干渉を回避するための切欠き２９を形成している。また、背シート１４のうち背支１０に重なる部分とロアメバー１７に嵌まった部分とを除いた部分は、ホットメルト接着剤等の接着材で背フレーム１３に固着されている。
【００２４】
(2).肘当ての取り付け構造
次に、従前の図に加えて図５以下の図面も参照肘当て１２の取り付け構造を説明する。図５のうち（Ａ）は分離斜視図、（Ｂ）は（Ａ）の部分拡大図、図６のうち（Ａ）は平面図、（Ｂ）は（Ａ）のＢ−Ｂ視断面図、（Ｃ）は（Ａ）のＣ−Ｃ視断面図、（Ｄ）は（Ｃ）のＤ−Ｄ視断面図、図７は分離平面図、図８は図６の VIII-VIII視断面図、図９は図６および図８の IX-IX視断面図である。
【００２５】
肘受けフレーム１１は手前から奥に向けて高さが徐々に高くなる側面視円弧状（弓形）に形成されており、その後端は後ろ向きに開口している（後部寄りの適宜範囲は水平状であっても良い。）。他方、肘当て１２も肘受けフレーム１１と同様の側面視弓形の形状であり、例えば図７に一点鎖線で示すように、その後端は肘受けフレーム１１の後端よりもやや手前に位置している。このため、肘受けフレーム１１の後端部は肘当て１２の後面からはみ出た露出部１１ａになっている。ブラケット１９は平面視で略台形状の基部１９ａを有しており、主として露出部１１ａの内側部に重ねらられて溶接によって固着されている。
【００２６】
肘当て１２は合成樹脂を素材として射出成形品であり、図６（Ｂ）、（Ｄ）に示すように、その内面部には肘受けフレーム１１の半周程度に嵌まる半円状の溝３２が形成されており、左右側面は、表面に行くに従って肘受けフレーム１１から離れるように傾斜しており、従って、肘当て１２の断面形状は台形に近い形状になっている。
【００２７】
そして、前係合部の一例として、肘受けフレーム１１には側面視で斜め下向きに突出する位置決め片（前係合片）３３を溶接によって固着し、肘当て１２の内面には、位置決め片３３が前座左右にずれ不能に嵌まる斜め上向き開口の位置決め穴（前係合穴）３４を形成している。位置決め片３３のうち肘受けフレーム１１に重なる基部には穴が空いており、この穴の箇所において肘受けフレーム１１に溶接されている。
【００２８】
例えば図９に示すように、肘当て１２の後部の左右中間部には筒状の下向きボス３６が一体に形成されている一方、肘受けフレーム１１の上面部にはボス３６が嵌まるボス穴３７を空けており、肘受けフレーム１１に下方から挿通したビス（タッピングビ）３８をボス３６にねじ込んでいる。これにより、肘当て１２は肘受けフレーム１１に強固に固定されている。
【００２９】
エンドカバー２６は肘フレーム１１の露出部１１ａを覆うと共にブラケット１９の大部分を覆うもので、肘受けフレーム１１の後端面に重なる背面部２６ａと、肘当て１２に当接する上面部２６ｂとを有しており、このため、例えば図６から容易に理解できるように、肘当て１２とエンドカバー２６とは一連に繋がったような外観を呈している。
【００３０】
エンドカバー２６の背面部２６ａには、肘受けフレーム１１にきっちり入り込む突起３９が一体に形成されており、また、エンドカバー２６の背面部２６ａはブラケット１９を後ろから覆うように内側に延びている。また、上面部２６ｂは肘当て１２との当接部から緩やかにカーブしてサイドメンバー１５に向けて延びている。従って、ブラケット１９の上面部はエンドカバー２６によって大半が覆われてる。
【００３１】
エンドカバー２６における上面部２６ｂの前端には、当該上面部２６ｂから若干段落ちした状態のストッパー４０が一体に形成されており、他方、肘当て１２の後端部には、ストッパー４０が嵌まり込む凹所（或いは段部）４１が形成されており、そして、請求項に記載した嵌合部の一例として、ストッパー４０には上下に開口した係合溝４２を形成し、肘当て１２の凹所４１には係合溝４２にはまる係合突起４３を形成している。これにより、エンドカバー２６は肘受けフレーム１１から後ろ向き抜け不能に保持されている。
【００３２】
(3).まとめ
以上の構成において、エンドカバー２６と肘当て１２とは次の手順で取り付けられる。すなわち、背もたれ４をブラケット１９に取り付けてからエンドカバー２６を肘受けフレーム１１に装着し、次いで、肘当て１２の位置決め穴３４を肘受けフレーム１１の位置決め片３３に斜め下方から嵌め込み、次いで、ボス穴３７へのボス３６の嵌め込みと、係合穴４２への係合突起４３の嵌め込みとを行い、最後にビス３８を下方からボス３６にねじ込むのである。
【００３３】
このようにして肘当て１２を取り付けると、エンドカバー２６は特段の固定手段を講じることなく肘受けフレーム１１から抜け不能に保持される。また、肘当て１２は、その前部が位置片３３に下方から嵌まっていて後部がビス３８で前後左右上下に移動不能に固定されているため、ガタ付いたり肘受けフレーム１１から外れたりすることはない。
【００３４】
係合穴４２と係合突起４３とはエンドカバー２６の姿勢を保持する機能も備えているが、本実施形態では、エンドカバー２６はブラケット１９に後ろから嵌合することで姿勢が保持されており（すなわち、突起３９の軸心回りに回転不能に保持されており）、このため姿勢安定機能が高い利点がある。
【００３５】
本実施形態のように、前係合部として肘受けフレーム１１に位置決め片１１を溶接すると、肘受けフレーム１１に穴を空ける必要がないため、強度面で優れている利点がある。
【００３６】
(4).その他
本願発明は、上記の実施形態の他にも様々に具体化てきる。例えば、エンドカバーは肘受けフレームのみを覆うものであっても良いし（従って、ブラケット１９は無くてもよい。）、或いは、ブラケット１９でない他の部材をエンドカバーで覆うことも可能である。また、肘当の断面形状や側面視形状などはデザイン上の要請に基づいて任意に設定できる。エンドカバーと肘当てとの嵌合部としては、エンドカバーのストッパーに上向きの係合突起を設けてエンドカバーに係合穴を設けるなどしても良い。
【００３７】
肘当ては略水平状の姿勢であってもよい。また、前係合部としては、肘受けフレームに前係合穴を空けて肘当てに鉤状の係合爪を形成したり、肘受けフレームに頭付き係合ピンを突設して肘当てに蟻溝状の前係合溝を形成したりすることも可能である。
【００３８】
更に、本願発明の適用対象になる椅子は図示形態のような４本足方式に限定されるもではなく、例えば左右の脚フレームを側面視で横向きコ字状に形成している椅子や、左右の脚フレームを側面視で口字状（或いは台形状）に形成している椅子、或いは、脚支柱をガスシリンダで構成している回転椅子など、様々の形態の椅子に適用できる。敢えて述べるまでもないが、パイプ椅子の場合、その複数個を前後方向に嵌めたり上下に積み重ねたりすることが可能である。
【図面の簡単な説明】
【００３９】
【図１】椅子の全体斜視図である。
【図２】椅子の分離斜視図である。
【図３】（Ａ）は図２の IIIA-IIIA視断面図、（Ｂ）は１の IIIB-IIIB視断面図である。
【図４】図１のIV−IV視断面図である。
【図５】（Ａ）は要部の分離斜視図、（Ｂ）は（Ａ）の部分拡大図である。
【図６】（Ａ）は要部の平面図、（Ｂ）は（Ａ）のＢ−Ｂ視断面図、（Ｃ）は（Ａ）のＣ−Ｃ視断面図、（Ｄ）は（Ｃ）のＤ−Ｄ視断面図である。
【図７】要部の分離平面図である。
【図８】図６の VIII-VIII視断面図である。
【図９】図６の IX-IX視断面図である。
【符号の説明】
【００４０】
３  座
４  背もたれ
１０  背支柱
１１  肘受けフレーム
１２  肘当て
１２ａ  後端の露出部
２６  エンドカバー
３３  前係合部の一環を成す位置決め片
３４  前係合部の一環を成す位置決め穴
３６  ボス
４０  ストッパー
４１  凹所
４２  嵌合部の一環を成す係合溝
４３  嵌合部の一環を成す係合突起
【図１】
2009268495.tif 000003
【図２】
2009268495.tif 000004
【図３】
2009268495.tif 000005
【図４】
2009268495.tif 000006
【図５】
2009268495.tif 000007
【図６】
2009268495.tif 000008
【図７】
2009268495.tif 000009
【図８】
2009268495.tif 000010
【図９】
2009268495.tif 000011